(57)【特許請求の範囲】
【請求項１】
ラチェットの歯を設けたベースに操作レバーを枢軸により起倒自在に取り付け、該操作レバーを前記ラチェットの歯に対して引き起こすことにより、前記操作レバーに連結されたブレーキケーブルを引っ張ってブレーキを制動させ、前記操作レバーに設けたラチェット爪と前記ラチェットの歯との係合によって前記ブレーキの制動状態を維持した状態で操作レバーを倒して収納することができるパーキングブレーキのがたつき防止構造であって、
前記操作レバーは、前記ラチェット爪を有するとともに前記ブレーキケーブルが連結され、前記枢軸により前記ベースに起倒自在に取り付けられた出力ユニットと、起倒操作の際に握持するグリップを有し、起倒操作するときに前記出力ユニットが前記枢軸を回動中心として同一方向に連動および不連動の状態に選択可能に連結する連結手段を有するレバーユニットと、から成り、
前記連結手段は、前記操作レバーを引き起こすときに前記出力ユニットに当接する当接部と、前記レバーユニットに設けたスライド長穴と、該スライド長穴に移動可能に挿通した収納ピンと、を有し、
前記出力ユニットは、前記操作レバーを引き起こすときに前記当接部が当接する被当接ピンと、前記収納ピンが当接可能な被当接部を有し、
前記スライド長穴は、両端のうち一端側に前記収納ピンが位置するときは、前記操作レバーを倒す際に前記出力ユニットの被当接部に前記収納ピンが当接し、他端側に前記収納ピンが位置するときは、前記出力ユニットの被当接部に前記収納ピンが当接しないように形成され、
前記被当接部は、前記スライド長穴の前記一端側の上縁との間隔が前記上縁の端部に近づくにつれて狭くなるように形成された曲線状の傾斜部を有し、
前記レバーユニットと前記出力ユニットとが連動するときは、前記収納ピンが前記スライド長穴の前記一端側の上縁と前記被当接部の傾斜部との間隔の狭い部分に挟み込まれるとともに前記当接部が前記被当接ピンに当接することによって前記レバーユニットと前記出力ユニットとの間のがたつきを防止することを特徴とするパーキングブレーキのがたつき防止構造。
【請求項２】
前記請求項１に記載のがたつき防止構造を備えたことを特徴とするパーキングブレーキ。
【発明の詳細な説明】
【技術分野】
【０００１】
本発明は、ラチェットの歯を設けたベースに操作レバーを枢軸により起倒自在に取り付け、該操作レバーをラチェットの歯に対して引き起こすことにより、操作レバーに連結されたブレーキケーブルを引っ張ってブレーキを制動させ、操作レバーに設けたラチェット爪とラチェットの歯との係合により、前記ブレーキの制動状態を維持するパーキングブレーキのがたつき防止構造に関し、特に、ブレーキの制動を維持している状態で操作レバーを倒して収納することができるパーキングブレーキのがたつき防止構造に関する。
【背景技術】
【０００２】
従来、この種の車両用操作レバー装置は、一般に車両の運転席近傍、例えば運転席と助手席との間にベースが固設され、該ベースに操作レバーが起倒可能に枢支され、該操作レバーを引き起こすことにより、ケーブルを介して制動部に力が伝達されて制動状態となるように構成されている。このため、制動状態にあるときは、操作レバーが起こされて上方に突出した状態になっている。
【０００３】
ところで、駐車中の車内では、搭乗者が運転席と助手席との間を移動することがある。また、ドライバーが運転席から助手席にかけて横臥して休憩を取ろうとすることもある。このようなときに運転席と助手席との間で突出している操作レバーは、はなはだ邪魔である。このため、パーキングブレーキは、制動状態において操作レバーの位置を低くできることが望ましい。このようなパーキングブレーキとしては、例えば、特許文献１に開示されたものがある。
【０００４】
このようなパーキングブレーキには、制動状態を維持しながら倒した操作レバーの位置がイニシャル位置くらいまで低くできるものがある。これにより、駐車中の車内において搭乗者が運転席と助手席との間を移動することが容易になる。
【０００５】
しかしながら、ドライバーが運転席から助手席にかけて横臥して休憩を取る際には、レバーが身体に当たってしまい、不快感が生じることがあるという問題点が残されている。そこで、制動状態を維持しながら操作レバーを倒して収納したときの該操作レバーの位置をより低くできるパーキングブレーキとして、引用文献２に開示された車両用操作レバー装置がある。
【０００６】
特許文献２に開示されている車両用操作レバー装置は、操作レバーの他に操作レバーに連動する別体の第１出力リンクおよび第２出力リンクを備えており、ブレーキの制動状態を維持しながら操作レバーを収納したときの該操作レバーの位置が従来のものよりも低い位置にすることができるようにしている。
【先行技術文献】
【特許文献】
【０００７】
【特許文献１】特開２００２−２５５０１６号公報
【特許文献２】特開２００７−２８６９２９号公報
【発明の開示】
【発明が解決しようとする課題】
【０００８】
しかしながら、操作レバーとは別体の第１出力リンクおよび第２出力リンクが操作レバーに連動するように構成されているので、それらの間にがたつきが生じてしまい、操作感や操作音に不快感がある。
【０００９】
本発明は、以上のような従来の技術の有する改善点に着目してなされたものであり、連動する２つのユニットによって操作レバーが構成され、制動状態を維持しながら操作レバーのグリップ側のユニットを倒して収納することができ、且つ操作レバーの操作中に２つのユニット間でがたつきが発生しないようにしたパーキングブレーキのがたつき防止構造および該がたつき防止構造を有するパーキングブレーキを提供することを目的としている。
【課題を解決するための手段】
【００１０】
前述した目的を達成するための本発明の要旨とするところは、次の各項の発明に存する。
［１］  ラチェットの歯（５０）を設けたベース（４０）に操作レバー（１０）を枢軸（Ｐ）により起倒自在に取り付け、該操作レバー（１０）を前記ラチェットの歯（５０）に対して引き起こすことにより、前記操作レバー（１０）に連結されたブレーキケーブルを引っ張ってブレーキを制動させ、前記操作レバー（１０）に設けたラチェット爪（３００）と前記ラチェットの歯（５０）との係合によって前記ブレーキの制動状態を維持した状態で操作レバー（１０）を倒して収納することができるパーキングブレーキ（１）のがたつき防止構造であって、
前記操作レバー（１０）は、前記ラチェット爪（３００）を有するとともに前記ブレーキケーブルが連結され、前記枢軸（Ｐ）により前記ベース（４０）に起倒自在に取り付けられた出力ユニット（３０）と、起倒操作の際に握持するグリップ（Ｇ）を有し、起倒操作するときに前記出力ユニット（３０）が前記枢軸（Ｐ）を回動中心として同一方向に連動および不連動の状態に選択可能に連結する連結手段を有するレバーユニット（２０）と、から成り、
前記連結手段は、前記操作レバー（１０）を引き起こすときに前記出力ユニット（３０）に当接する当接部（２１）と、前記レバーユニット（２０）に設けたスライド長穴（２２）と、該スライド長穴（２２）に移動可能に挿通した収納ピン（２３）と、を有し、
前記出力ユニット（３０）は、前記操作レバー（１０）を引き起こすときに前記当接部（２１）が当接する被当接ピン（３１）と、前記収納ピン（２３）が当接可能な被当接部（３２）を有し、
前記スライド長穴（２２）は、両端のうち一端側に前記収納ピン（２３）が位置するときは、前記操作レバー（１０）を倒す際に前記出力ユニット（３０）の被当接部（３２）に前記収納ピン（２３）が当接し、他端側に前記収納ピン（２３）が位置するときは、前記出力ユニット（３０）の被当接部（３２）に前記収納ピン（２３）が当接しないように形成され、
前記被当接部（３２）は、前記スライド長穴（２２）の前記一端側の上縁との間隔が前記上縁の端部に近づくにつれて狭くなるように形成された曲線状の傾斜部（３２ａ）を有し、
前記レバーユニット（２０）と前記出力ユニット（３０）とが連動するときは、前記収納ピン（２３）が前記スライド長穴（２２）の前記一端側の上縁と前記被当接部（３２）の傾斜部（３２ａ）との間隔の狭い部分に挟み込まれるとともに前記当接部（２１）が前記被当接ピン（３１）に当接することによって前記レバーユニット（２０）と前記出力ユニット（３０）との間のがたつきを防止することを特徴とするパーキングブレーキ（１）のがたつき防止構造。
【００１１】
［２］  前記項［１］に記載のがたつき防止構造を備えたことを特徴とするパーキングブレーキ（１）。
【００１２】
前記本発明は次のように作用する。  
項［１］に係るパーキングブレーキ（１）のがたつき防止構造によれば、該がたつき防止構造を有するパーキングブレーキ（１）は、ブレーキを制動させるために操作レバー（１０）を引き起こすときにレバーユニット（２０）と出力ユニット（３０）とが連結手段によって連結されており、両者は連動する。
【００１３】
すなわち、レバーユニット（２０）と出力ユニット（３０）とは、レバーユニット（２０）の収納ピン（２３）がレバーユニット（２０）側のスライド長穴（２２）の一端側の上縁と出力ユニット（３０）側の被当接部（３２）の傾斜部（３２ａ）との間隔の狭い部分に挟み込まれており、且つ、レバーユニット（２０）側の当接部（２１）が出力ユニット（３０）側の被当接ピン（３１）に当接することにより、レバーユニット（２０）と出力ユニット（３０）とが連結された状態でのレバーユニット（２０）と出力ユニット（３０）との間のがたつきが防止されている。
【００１４】
したがって、操作者がレバーユニット（２０）を掴んで引き起こすと、出力ユニット（３０）がレバーユニット（２０）と一体となって枢軸（Ｐ）を回動の中心として引き起こされる。これにより、出力ユニット（３０）に連結されたブレーキケーブルが引かれて、ブレーキの制動力が生じた制動状態となる。
【００１５】
操作レバー（１０）を引き起こす動作の間、出力ユニット（３０）に設けられたラチェット爪（３００）は、ベース（４０）に設けられたラチェットの歯（５０）に対して係脱を順次繰り返す。このとき係脱にともなって振動が発生するが、前記のようにレバーユニット（２０）と出力ユニット（３０）との間のがたつきが防止されているので、がたつきによる振動や騒音が発生することなく、不快感のない操作をすることができる。
【００１６】
操作レバー（１０）を引き起こす動作を止めると、当該位置におけるラチェットの歯（５０）にラチェット爪（３００）が係合して、操作レバー（１０）がその位置に保持されるとともにブレーキケーブルが引かれた状態に維持される。すなわち、ブレーキの制動状態が維持される。
【００１７】
制動状態にあるときに、レバーユニット（２０）と出力ユニット（３０）との連動を解除すべく、不連動となるように連結手段を選択すると、出力ユニット（３０）は不動のままにレバーユニット（２０）はイニシャル位置側に戻る方向に倒して回動させ、収納することができる。
【発明の効果】
【００１８】
本発明に係るパーキングブレーキのがたつき防止構造によれば、ブレーキケーブルが連結された出力ユニットと、該出力ユニットとの連動および不連動の選択を可能に出力ユニットに連結されたレバーユニットとから構成した操作レバーは、出力ユニットとレバーユニットとが連動する場合に、レバーユニットの収納ピンがレバーユニット側のスライド長穴の一端側の上縁と出力ユニット側の被当接部の傾斜部との間隔の狭い部分に挟み込まれ、且つ、レバーユニット側の当接部が出力ユニット側の被当接ピンに当接することにより、レバーユニットと出力ユニットとの間のがたつきが防止される。
【図面の簡単な説明】
【００１９】
【図１】本発明の一実施の形態に係るパーキングブレーキのがたつき防止構造を有するパーキングブレーキの非制動状態を示す側面透視図である。
【図２】本発明の一実施の形態に係るパーキングブレーキのがたつき防止構造を有するパーキングブレーキの分解斜視図である。
【図３】図１の状態から操作レバーを引き起こし始めた状態を示す側面透視図である。
【図４】図３の状態から操作レバーをさらに引き起こした状態を示す側面透視図である。
【図５】図４の状態から操作レバーを引き起こし始めた状態を示す側面透視図である。
【図６】図５の状態から操作レバーをさらに引き起こした状態を示す側面透視図である。
【図７】図６の制動状態を維持したままでレバーユニットの収納操作に入ったときの状態を示す側面透視図である。
【図８】図７の状態から操作レバーを倒し始めた状態を示す側面透視図である。
【図９】操作レバーを収納した状態を示す側面透視図である。
【図１０】制動状態を解除するための操作を始めた状態を示す側面透視図である。
【図１１】非制動状態で操作レバーを収納した状態を示す側面透視図である。
【図１２】操作レバーを最大制動力を発生するところまで引き起こした状態を示す側面透視図である。
【図１３】最大制動状態を維持したままでレバーユニットを収納した状態を示す側面透視図である。
【図１４】図１のパーキングブレーキを示す側面図である。
【発明を実施するための形態】
【００２０】
以下、図面に基づき本発明の好適な一実施の形態を説明する。
各図は、本発明の一実施の形態を示している。
図１は、本実施の形態に係るパーキングブレーキの１がたつき防止構造を有するパーキングブレーキ１の構成を右側面側から見た側面透視図であり、ブレーキが制動しておらず、操作レバー１０が倒されてイニシャル位置にある状態を示している。図２は、本発明の一実施の形態に係るパーキングブレーキのがたつき防止構造を有するパーキングブレーキ１の分解斜視図である。図１４は、本発明の一実施の形態に係るパーキングブレーキ１の外観を示す側面図である。
【００２１】
本実施の形態に係るがたつき防止構造を有するパーキングブレーキ１は、乗用車等の車両に装備され、操作レバー１０の操作によってブレーキの制動および制動解除を行うものであり、車両の運転席近傍に据付けるベース４０に枢軸Ｐを介して操作レバー１０を起倒可能に枢支して成る。
【００２２】
パーキングブレーキ１は、操作レバー１０を引き起こすことにより、操作レバー１０に連結されたブレーキケーブル（図示せず）が引き出されて制動部（図示せず）に操作力が伝達され、これによって制動部にて制動力が発生する制動状態とすることができる。一方、操作レバー１０を倒してイニシャル状態まで戻すことにより、引き出されていたブレーキケーブルが戻って制動力が消失した非制動状態となる。
【００２３】
ベース４０は、運転席近傍の据付け部位に固定されており、略鉛直方向に起立して延びる、操作レバー１０の組付け部分４１を有している。組付け部分４１には枢軸Ｐが挿通されて取り付けられる取付け孔４１０が穿設されている。また、組付け部分４１の前方寄りには、上縁が斜め前方に向かって上方に延びるストッパ受部４２が形成されている。このストッパ受部４２は、収納するときの操作レバー１０の最下位置を定めているものである。
【００２４】
また、ベース４０には、ラチェットの歯５０が固設されている。さらに、ベース４０には、後述するレバーユニット２０の連結ピン２４が挿通されるガイド長穴４３が穿設されている。このガイド長穴４３は、枢軸Ｐの取付け孔４１０の略直上から操作レバー１０の延びる方向とは反対側の下方へ向かって、前記枢軸Ｐを中心とした円弧状に延びている。
【００２５】
操作レバー１０は、ブレーキの制動および制動解除それぞれの操作時に操作者が握るグリップＧが先端側に設けられたレバーユニット２０と、ブレーキの制動および制動解除それぞれの操作時に枢軸Ｐを回動中心として起倒することができる、枢軸Ｐに枢支された出力ユニット３０との２つのユニットから成る。出力ユニット３０は、一対の板状の部材からなり、ベース４０を間に挟むように組み付けられている。
【００２６】
レバーユニット２０は、前記出力ユニット３０を外側から挟むように組み付けられている。このように構成された操作レバー１０は、操作者がレバーユニット２０を握持して起倒操作する際に、連結手段によって、出力ユニット３０が枢軸Ｐを回転中心としてレバーユニット２０の起倒操作方向と同一方向に連動する連結状態と、出力ユニット３０がレバーユニット２０とは連動しない不連動の非連結状態とを選択することができる。
【００２７】
また、出力ユニット３０には、ベース４０に固設されたラチェットの歯５０に係脱可能なラチェット爪３００がピン３０１を中心に回動可能に取り付けられている。また、出力ユニット３０には、このラチェット爪３００を付勢するためのスプリング３０２が取り付けられている。スプリング３０２は、ラチェット爪３００がラチェットの歯５０に係合する方向に付勢している。
【００２８】
さらに、出力ユニット３０には、ブレーキケーブルの一端側が固定され、操作レバー１０を引き起こしたときにブレーキケーブルが巻き取られるケーブルドラム３２０が設けられている。また、出力ユニット３０には、操作レバー１０を引き起こすときに、後述するレバーユニット２０の当接部２１が当接するように突設された被当接ピン３１を有している。これにより、レバーユニット２０を握持して引き起こす際に、当接部２１が被当接ピン３１に当接してからは当接部２１が被当接ピン３１を押し上げるので、枢軸Ｐを回動中心としてレバーユニット２０と出力ユニット３０とが一体に連動して引き起こされる。
【００２９】
また、出力ユニット３０には、後述するレバーユニット２０に設けられた収納ピン２３が当接可能な被当接部３２を有している。この被当接部３２には、収納ピン２３が当接している状態で、スライド長穴２２の下縁部２２ｂ寄りから後述する当接位置側の端縁に向かって斜め上方に延びる傾斜部３２ａが形成されている。したがって、傾斜部３２ａとスライド長穴２２の上縁部２２ａとの間隔は、連続的に狭くなっている。
【００３０】
出力ユニット３０は、ベース４０のガイド長穴４３と重なる位置にレバーユニット２０の前記連結ピン２４が貫通する開孔３３が穿設されている。したがって、レバーユニット２０は、連結ピン２４を介して出力ユニット３０とベース４０とに枢支されている。
【００３１】
レバーユニット２０は、グリップＧの先端にリリースボタン３４が出没可能に設けられている。リリースボタン３４は、グリップＧ内に位置する後端部にリリースロッド３５の一端が接続されている。このリリースロッド３５は、ブレーキの制動状態を解除する際に、ベース４０のラチェットの歯５０に係合している出力ユニット３０のラチェット爪３００をスプリング３０２の付勢力に抗して係合が解除される方向に押すためのものである。
【００３２】
リリースボタン３４は、先端がスプリング２０１によってグリップＧの外に突き出す方向に付勢されている。このため、リリースロッド３５は、リリースボタン３４が押されていない状態では、ラチェット爪３００を押す部分がラチェット爪３００から離されている。
【００３３】
また、レバーユニット２０は、グリップＧを設けた先端側とは反対側の基端部側に設けた前記連結ピン２４が出力ユニット３０の開孔３３とベース４０のガイド長穴４３とに挿通されている。これにより、レバーユニット２０は、出力ユニット３０と連動する連結状態にあるときには、枢軸Ｐを回動の中心として出力ユニット３０とともに回動し、出力ユニット３０と非連結状態にあるときには、連結ピン２４を回動の中心にして単独で起倒可能に回動することができる。
【００３４】
レバーユニット２０は、先端部と基端部との中間にスライド長穴２２が穿設されており、スライド長穴２２に前記収納ピン２３が移動可能に挿通されている。スライド長穴２２は、レバーユニット２０の基端部から先端部の延びる方向に延びている。
【００３５】
スライド長穴２２の両端縁それぞれは半円の円弧状に形成されており、両端縁間は、直線状に平行に延びる縁部が形成されている。これらの平行な縁部は、例えば図４等に示した状態の操作レバー１０において、上側で延びる上縁部２２ａと、その下方で延びる下縁部２２ｂとである。
【００３６】
このスライド長穴２２は、収納ピン２３がスライド長穴２２内を基端部寄りの当接位置側にあるときは、操作レバー１０を倒す際に収納ピン２３が出力ユニット３０に当接し、収納ピン２３が当接位置側とは反対側の先端部寄りの非当接位置側にあるときは、収納ピン２３が出力ユニット３０に当接しないように形成されている。
【００３７】
収納ピン２３は、レバーユニット２０内にレバーユニット２０の延びる方向に移動可能に設けられたスライダー３６の後端部に取り付けられている。したがって、収納ピン２３は、スライダー３６をスライドさせることによってスライド長穴２２内での位置をスライドさせることができる。
【００３８】
収納ピン２３は、当接位置側に位置するとき、被当接部３２の傾斜部３２ａとスライド長穴２２の上縁部２２ａとの間の幅が狭くなった所で挟持される。収納ピン２３は、次に述べるように当接位置側に位置するように付勢される。
【００３９】
レバーユニット２０は、グリップＧよりも中央寄りの上部に、レバーユニット２０の延びる方向に沿ってスライド開孔２０ａが穿設されている。このスライド開孔２０ａからはスライダー３６に設けられた操作部３６ａが突出している。この操作部３６ａをスライド開孔２０ａ内でスライドさせることにより、収納ピン２３をスライド長穴２２内で当接位置側と非当接位置側との間でスライドさせることができる。スライダー３６の先端部は、スプリング２０２によって付勢されている。このスプリング２０２は、収納ピン２３がスライド長穴２２内で当接位置側に位置するようにスライダー３６を付勢している。
【００４０】
このようにレバーユニット２０のスライド長穴２２に挿通された収納ピン２３や該収納ピン２３が当接位置に在るときに収納ピン２３に当接する出力ユニット３０の被当接部３２およびレバーユニット２０の当接部２１や該当接部２１に当接可能な出力ユニット３０の被当接ピン３１等から連結手段が構成されている。この連結手段によってレバーユニット２０と出力ユニット３０とは、連動および不連動の状態に選択可能に連結されている。
【００４１】
収納ピン２３は、被当接部３２に当接しているときは、スライダー３６を介してスプリング２０２によってスライド長穴２２の当接位置側の端縁に向けて付勢されているので、被当接部３２の傾斜部３２ａとスライド長穴２２の上縁部２２ａとの間の幅の狭くなった所に入り込んで挟持されるとともに、レバーユニット２０の当接部２１が出力ユニット３０の被当接ピン３１に当接している。これにより、操作レバー１０は、がたつきの発生が防止されている。
【００４２】
レバーユニット２０は、出力ユニット３０がブレーキケーブルを引いている制動状態で収納ピン２３を非当接位置側にスライドさせて出力ユニット３０との連動を解除すると、連結ピン２４が出力ユニット３０に対するレバーユニット２０の起倒の回動中心になる。これにより、レバーユニット２０は、ブレーキを解除して操作レバー１０を収納したときのイニシャル位置よりも低い位置に収納することができる。
【００４３】
レバーユニット２０は、中央付近から図１の紙面上斜め下方に延びる下延部２５を有している。この下延部２５の下端部には、横方向に突出するストッパ２６が設けられている。このストッパ２６は、操作レバー１０をイニシャル位置まで倒したときにベース４０のストッパ受部４２に上方から当接して、操作レバー１０の下方への回動を制限するものである。
【００４４】
なお、ガイド長穴４３の穿設位置と長さとを適宜に設定することにより、ブレーキが制動状態にあるときに収納したレバーユニット２０の最も高い位置が出力ユニット３０の最も高い位置よりも低くなるようにすることができる。
【００４５】
本実施の形態に係るパーキングブレーキ１は、次のように作用する。
図１および図３〜図１３までは、本実施の形態に係るパーキングブレーキ１の制動および制動解除の操作におけるパーキングブレーキ１の構成要素の動きの変化を示している。
【００４６】
図１は、パーキングブレーキ１が非制動状態にあって、操作レバー１０が倒されたイニシャル位置にある状態を示している。レバーユニット２０のストッパ２６は、出力ユニット３０のストッパ受部４２の上端部に当接している。このとき操作レバー１０は、非制動状態における最も低い位置まで倒されている。
【００４７】
この状態では、スライダー３６にはスプリング２０２からの付勢力が作用しているだけであり、出力ユニット３０のラチェット爪３００は、ラチェットの歯５０に係合していない。スライダー３６に取り付けられた収納ピン２３は、出力ユニット３０の被当接部３２に当接する位置に在って被当接部３２の傾斜部３２ａ上に在るので、スライド長穴２２内の当接位置側の端縁に向けて且つスライド長穴２２の上縁部２２ａに向けて押圧されており、傾斜部３２ａと上縁部２２ａとによって挟持されている。
【００４８】
さらに、収納ピン２３は、被当接部３２の傾斜部３２ａからスライド長穴２２の上縁部２２ａへ向かう反力を受けている。すなわち、レバーユニット２０は、上方に向けて回転する方向の反力を受けている。これにより、レバーユニット２０の当接部２１は、出力ユニット３０の被当接ピン３１に押圧されており、操作レバー１０のがたつきの発生がより良く防止されている。
【００４９】
図３は、ブレーキを制動させるために操作レバー１０を引き起こすことにより、ラチェット爪３００がラチェットの歯５０に係合した状態を示している。操作者がレバーユニット２０のグリップＧを握持して操作レバー１０を引き起こす操作を行うと、レバーユニット２０は、始めに連結ピン２４を回動の中心にして僅かに操作方向Ａに回動する。操作方向Ａに僅かに回動したレバーユニット２０は、当接部２１が操作方向Ａ側に位置する出力ユニット３０の被当接ピン３１に当接する。
【００５０】
この状態でさらに操作方向Ａにレバーユニット２０の回動操作を続けると、当接部２１が被当接ピン３１を操作方向Ａに押すので、レバーユニット２０と出力ユニット３０とは一体に連動して枢軸Ｐを回動の中心にして操作方向Ａに回動する。すなわち、操作レバー１０が引き起こされるにつれて、出力ユニット３０に連結されているブレーキケーブルが引かれて制動部で制動力が発生し始める。
【００５１】
図４から図６までは、操作レバー１０を引き起こす方向に回動操作を続けたときの過程を示している。回動操作を続けるにしたがって、ラチェット爪３００は、ラチェットの歯５０とより高い位置で係合する。このとき、ブレーキケーブルの引き出し量が多くなり、制動力もそれだけ大きくなる。
【００５２】
図７から図９までは、図６に示したようにブレーキを制動させた状態から制動状態を維持したままで、操作レバー１０を倒して収納する過程を示している。  
図７は、レバーユニット２０と出力ユニット３０との連結が非連動になった状態を示している。
【００５３】
操作者は、レバーユニット２０のスライダー３６をスプリング２０２の付勢力に抗して、操作部３６ａを指などでレバーユニット２０の先端に向けて矢印Ｂ方向にスライドさせる。これにより、スライダー３６に取り付けられている収納ピン２３を非当接位置側に変位させることができる。収納ピン２３が非当接位置側に位置している状態では、収納ピン２３は出力ユニット３０の被当接部３２から外れているので、収納ピン２３と出力ユニット３０とは当接しない。したがって、ブレーキの制動状態を維持したままでレバーユニット２０を倒す方向に回動させることができる。
【００５４】
なお、操作レバー１０を倒す際に操作部３６ａをＢ方向に押す力を抜くと、スプリング２０２の付勢力によって収納ピン２３が出力ユニット３０の側縁３７に押し付けられるが、この側縁３７を円弧状に形成しておくことにより、収納ピン２３が押し付けられた状態でもスムーズにレバーユニット２０を倒す操作をすることができる。
【００５５】
図８は、図７の状態から操作レバー１０をさらに倒した状態を示している。
図８に示すように、レバーユニット２０は、図７に示した状態よりも低い位置まで倒されている。このときのレバーユニット２０は、連結ピン２４を回動の中心として回動する。
【００５６】
一方、出力ユニット３０は、ラチェット爪３００がラチェットの歯５０に係合しており、且つ、レバーユニット２０に連動しない非連動状態にあるので、変位することなく、図７に示した状態のままにある。したがって、ブレーキケーブルが引かれた制動状態が維持されている。
【００５７】
図９は、図８の状態からさらに操作レバー１０を倒して収納した状態を示している。
図９に示すように、レバーユニット２０のストッパ２６は、ベース４０のストッパ受部４２に当接しており、レバーユニット２０はこれ以上には下方に向けて倒すことができない。ストッパ２６がストッパ受部４２に当接している位置は、図１に示したようにブレーキが非制動状態で操作レバー１０が収納されているときの位置よりも低い位置である。
【００５８】
したがって、操作レバー１０は、ブレーキが非制動状態における操作レバー１０の収納位置よりも、すなわち想像線で示した操作レバー１０の位置よりも低い位置に収納することができる。このとき、レバーユニット２０の最も高い位置は、出力ユニット３０の最も高い位置よりも低くなっている。これにより、ドライバーが運転席から助手席にかけて横臥して休憩を取るようなときに、パーキングブレーキ１がより邪魔になり難くなっている。
【００５９】
次に、制動状態のブレーキを解除するための操作について説明する。
図９に示したブレーキの制動状態からレバーユニット２０を引き起こして行くと、スプリング２０２によってスライダー３６が付勢されているので、収納ピン２３は、出力ユニット３０の側縁３７に当接した状態で出力ユニット３０の被当接部３２へ向かう。この過程では、レバーユニット２０は連結ピン２４を中心にして回動する。
【００６０】
操作レバー１０を図６に示した状態まで引き起こすと、スプリング２０２の付勢力によって収納ピン２３は被当接部３２と当接する位置まで押し込まれる。これにより、パーキングブレーキ１は、図６に示した状態に戻る。
【００６１】
図６に示した状態に戻ったところで、リリースボタン３４をグリップＧ内に押し込むと、図１０に示したように、リリースロッド３５がスプリング３０２の付勢力に抗するようにラチェット爪３００を押して、ラチェット爪３００とラチェットの歯５０との係合が解除される。この状態で操作レバー１０を倒すと、レバーユニット２０の収納ピン２３が出力ユニット３０の被当接部３２に当接しているので収納ピン２３が出力ユニット３０を倒す方向に押す。
【００６２】
これにより、出力ユニット３０は、レバーユニット２０に連動し、レバーユニット２０と一体になって枢軸Ｐを中心にして倒れる方向に回動する。この回動とともにブレーキケーブルが制動部側に引き戻されて、ブレーキの制動力が減じて行く。このときもブレーキを制動させる操作を行うときと同様にレバーユニット２０と出力ユニット３０とは連結されているので、レバーユニット２０と出力ユニット３０との間にがたつきが生じることなく操作レバー１０を操作することができる。
【００６３】
図１１に示した位置まで操作レバー１０を倒すと、レバーユニット２０のストッパ２６がベース４０のストッパ受部４２に当接して、それ以上倒すことができなくなる。この位置ではブレーキケーブルが完全に引き戻されているので、制動力が全く働いていない非制動状態になっている。すなわち、図１に示したイニシャル位置に戻っている。
【００６４】
図１２は、ブレーキの制動力が最大になるまで操作レバー１０を引き起こした状態を示している。
ラチェット爪３００は、ラチェットの歯５０の最も高い位置で係合している。出力ユニット３０は、レバーユニット２０とともに最も引き起こされた状態にある。このとき、ブレーキケーブルは最も引き出されており、ブレーキの制動力は最大になっている。
このような最大の制動状態を維持したまま操作レバー１０を収納するときも、図７から図９を参照しながら説明した操作と同様の操作を行えばよい。
【００６５】
図１３は、最大の制動状態を維持したままで操作レバー１０を収納したときの状態を示している。図１２と図６とを比較すると、ガイド長穴４３内における連結ピン２４の位置が異なっている。これは、レバーユニット２０を出力ユニット３０と連動する状態で枢軸Ｐを回動中心として制動状態まで引き起こす過程で、連結ピン２４がガイド長穴４３内を下方に移動するからである。
【００６６】
枢軸Ｐを中心とする操作レバー１０の回動量は、図１２の状態の方が図６の状態よりも大きくなっており、その分だけ連結ピン２４は、ガイド長穴４３の下端に近づいている。すなわち、最大制動力が発生しているときの連結ピン２４の位置は、制動力がそれよりも小さいときの位置よりも低い位置にある。
【００６７】
制動力を維持した状態で操作レバー１０を収納するときは、レバーユニット２０は連結ピン２４を中心にして回動する。このため、最大制動力を発生させた状態で操作レバー１０を収納する場合が、レバーユニット２０を最も低い位置に収納できることとなる。
【００６８】
なお、本発明の実施の形態を図面によって説明してきたが、具体的な構成は前述したような実施の形態に限られるものではなく、本発明の要旨を逸脱しない範囲における変更や追加があっても本発明に含まれる。例えば、本実施の形態では、被当接部３２の傾斜部３２ａを直線状であるように図示したが、直線状である必要はなく、スライド長穴２２の上縁部２２ａとの間が連続的に狭くなるものであれば、円弧状等の曲線であってもよい。
【産業上の利用可能性】
【００６９】
本発明は、乗用車等の車両に装備するパーキングブレーキとして示したが、操作レバーの操作によってケーブルを引いて動作させるものであれば、広く適用することができる。
【符号の説明】
【００７０】
Ｇ…グリップ
Ｐ…枢軸
１…パーキングブレーキ
１０…操作レバー
２０…レバーユニット
２０ａ…スライド開孔
２１…当接部
２２…スライド長穴
２２ａ…上縁部
２３…収納ピン
２４…連結ピン
２５…下延部
２６…ストッパ
３０…出力ユニット
３１…被当接ピン
３２…被当接部
３２ａ…傾斜部
３３…開孔
３４…リリースボタン
３５…リリースロッド
３６…スライダー
３６ａ…操作部
３７…側縁
４０…ベース
４１…組付け部分
４２…ストッパ受部
４３…ガイド長穴
５０…ラチェットの歯
２０１…スプリング
２０２…スプリング
３００…ラチェット爪
３０１…ピン
３０２…スプリング
３２０…ケーブルドラム
４１０…取付け孔
【図１】
0005964649.tif 000002
【図２】
0005964649.tif 000003
【図３】
0005964649.tif 000004
【図４】
0005964649.tif 000005
【図５】
0005964649.tif 000006
【図６】
0005964649.tif 000007
【図７】
0005964649.tif 000008
【図８】
0005964649.tif 000009
【図９】
0005964649.tif 000010
【図１０】
0005964649.tif 000011
【図１１】
0005964649.tif 000012
【図１２】
0005964649.tif 000013
【図１３】
0005964649.tif 000014
【図１４】
0005964649.tif 000015